(57)【要約】  転写サーモグラフィによって転写される情報（５）を受け取るための受像層（１）の作成及び携帯型データ記憶媒体におけるその使用が提案される。発明によれば、受像層（１）はキャリア層（２）及びアクセプタ層（３）の２つの層で形成され、一方は非晶質ポリエステル、例えばＰＥＴＧ，他方はＰＥＴＧと１０〜９０重量％のスチレンポリマーの混合物の、２つの原材料を同時押出しすることによって作成される。【特許請求の範囲】
【請求項１】
転写サーモグラフィによる転写が可能なグラフィック情報を受け取るための受像層において、前記受像層（１）がキャリア層（２）及びアクセプタ層（３）のラミネートとして構成され、前記キャリア層（２）が実質的に非晶質ポリエステルからなり、前記アクセプタ層（３）が実質的にＰＥＴＧと少なくとも１０重量％のポリスチレンとの混合物からなることを特徴とする受像層。
【請求項２】
前記ラミネート（１）が同時押出しによって作成される単一シートとして形成されることを特徴とする請求項１に記載の受像層。
【請求項３】
前記アクセプタ層（３）に含有される前記ポリスチレンが、スチレンコポリマー群からのスチレンポリマーであることを特徴とする請求項１に記載の受像層。
【請求項４】
総厚が８０〜１２０μｍであり、その内の５〜２０μｍの厚さ（ｈ２）が前記アクセプタ層（３）に割り当てられることを特徴とする請求項１に記載の受像層。
【請求項５】
前記アクセプタ層（３）に滑剤及び／または粘着防止剤が加えられることを特徴とする請求項１に記載の受像層。
【請求項６】
前記キャリア層（２）がポリカーボネートでつくられることを特徴とする請求項１に記載の受像層。
【請求項７】
コア層及び転写サーモグラフィによってグラフィック情報がその上に与えられる受像層を有する、多層構造の携帯型データ記憶装置において、前記受像層（１）がＰＥＴＧのキャリア層（２）及びＰＥＴＧと少なくとも１０重量％のスチレンコポリマーとの混合物のアクセプタ層（３）のいずれをも有することを特徴とする携帯型データ記憶媒体。
【請求項８】
前記受像層（１）がポリエステルのコア層（１０）上に配置されることを特徴とする請求項７に記載の携帯型データ記憶媒体。
【請求項９】
前記アクセプタ層（３）の表面（４）上に透明なカバー層（６）が施されることを特徴とする請求項７に記載の携帯型データ記憶媒体。
【請求項１０】
転写サーモグラフィによって与えられるグラフィック情報を受け取るための受像層を作成する方法において、ＰＥＴＧの第１のポリマー溶融体及びＰＥＴＧと少なくとも１０重量％のスチレンコポリマーとの混合物の第２のポリマー溶融体が同時押出しされてラミネートを形成することを特徴とする方法。
【請求項１１】
転写サーモグラフィによってグラフィック情報を与えることができる携帯型データ記憶媒体を作成する方法において、
−ポリエステルベースまたはポリカーボネートベースのコア層（１０）を提供する工程、
−ＰＥＴＧを実質的に含む第１の原材料を提供する工程、
−ＰＥＴＧと少なくとも１０重量％のポリスチレンとの混合物を含む第２の原材料を提供する工程、
−前記２つの原材料を同時押出しして受像層（１）を形成する工程、
−アクセプタ層（３）と前記コア層（１０）の間にキャリア層（２）がおかれるように、前記受像層（１）及び前記コア層（１０）をラミネートにする工程、
を含むことを特徴とする方法。
【発明の詳細な説明】
【技術分野】
【０００１】
本発明の目的はサーモグラフィ法を用いて携帯型データ記憶媒体にグラフィック情報を与えることである。特に、本発明は、バンクカード、運転免許証または身分証明書などの身元証明カードの熱応用個人化に関する。
【背景技術】
【０００２】
熱転写法を用いて印刷することができる受像層をもつ携帯型データ記憶媒体が特許文献１によって知られている。特許文献１に説明されているデータ記憶媒体は身元証明書類の形態を有し、とりわけポリカーボネートまたはポチエチレンテレフタレート（ＰＥＴ）でつくることができるコア層に基づき、コア層の上には、例えば、ポリカーボネート、ポリプロピレン、ＡＢＳコポリエステルまたは熱可塑性樹脂のような、透明材料からなるラミネート層が施される。ラミネート層上には、特に、Ｄ２Ｔ２（染料拡散熱転写）としても知られる、熱昇華による印刷に適する受像層が施される。受像層はポリ塩化ビニル（ＰＶＣ）でつくられ、さらに多くの可能な代替材料、とりわけポリスチレン及びそのコポリマーが述べられている。提案されるカードによって、熱昇華による確実な印刷が可能になる。しかし、受像層に用いられるＰＶＣには環境安全性及び再利用可能性の点で問題がある。さらにＰＶＣ被覆カードは耐久性が比較的低く、例えば身元証明カードなどの、長期使用への適性に悪影響を与える。
【０００３】
特許文献２により、両面が変性ポリエステル（ＰＥＴＧ）のカバー層で被覆された不透明コア層を有する多層データ記憶媒体が知られている。データはレーザを用いてＰＥＴＧ層に取り込まれる。特にレーザ印刷への適性を向上させるための添加剤をＰＥＴＧ層に添加することができる。それぞれの層はラミネートにすることで結合される。ラミネート加工機へのカバー層の付着を防止するため、カバー層の外表面に粘着防止剤が添加される。特許文献２において、カバー層は、粘着防止剤が添加されたＰＥＴＧ層と純ＰＥＴＧ層の同時押出しによる２層ラミネートとしてつくられる。熱昇華によって与えられる印刷パターンの受取りに適する受像層が特許文献３によって知られている。提案される受像層はコア層を有し、コア層の上にはポリスチレンの熱絶縁層が施され、ポリスチレン熱絶縁層の上には次いで、染色可能な樹脂を含むアクセプタ層が配されている。受像層は特にＩＣカードでの使用が目的とされている。
【０００４】
さらに、いくつかの層をラミネートにすることによって形成され、層の内の少なくとも１つが少なくとも２つのタイプのプラスチックの同時押出しによってつくられる、多機能カード本体が特許文献４によって知られている。同時押出し層のための原材料として、とりわけ、ＰＴＥＧが提案されている。
【０００５】
さらに、高まる非ＰＶＣカードに対する需要を認識した、転写サーモグラフィを用いる印刷に適するプラスチックカードが特許文献５によって知られている。ＡＢＳ，ＰＥＴＧまたはポリカーボネートに基づくコア層及び同じ材料に基づくが含有ＡＢＳの分量が少なくとも２０重量％の重畳層を有するカードが提案されている。そのようなＡＢＳ含有受像層は発明者等自身の試験で、熱昇華法と組み合わせて用いた場合に、満足できないことがわかった。
【０００６】
パンチ穴開け中の材料の浮きの形成を避けるため及び温度安定性を向上させるための、ＰＶＣ含有カードが将来環境保護の理由のためにほとんど受け入れられなくなるであろうことを考慮に入れた、カード材料の硬度を向上させるための提案が特許文献６によって知られている。ＰＴＥＧとポリカーボネートを含み、ＰＥＴＧの１０％から７０％までの分量が他の材料で置換された、混合材料の使用が提案されている。置換材料として、とりわけＡＡＳ（メタクリレート−アクリル−スチレン）が述べられている。提案されている材料は良好な機械的特性を有するが、多層ラミネートカード体構造への適用は容易ではない。
【特許文献１】米国特許出願公開第２００５/００３５５９０号明細書
【特許文献２】欧州特許第０７３４３２２Ｂ１号明細書
【特許文献３】特表２００４-０４２３５８Ａ号公報
【特許文献４】国際公開第０２/４１２４５Ａ２号パンフレット
【特許文献５】特表２００４-０２５７４３Ａ号公報
【特許文献６】特許第１１１８９７０８Ａ号明細書
【発明の開示】
【発明が解決しようとする課題】
【０００７】
本発明の課題は、転写サーモグラフィ、特に熱昇華によって、層上にグラフィック情報を与えることができる、携帯型データ記憶媒体上の用途に適するポリエステルベースの受像層を提供することである。
【課題を解決するための手段】
【０００８】
上記課題は、特許請求項１の特徴をもつ受像層及び特許請求項６の特徴をもつ受像層を備える携帯型データ記憶媒体のいずれによっても解決される。上記課題はさらに、独立特許請求項１１にしたがう受像層を作成する方法及び独立特許請求項１２にしたがう携帯型データ記憶媒体を作成する方法のいずれによっても解決される。
【０００９】
本発明の受像層の特徴は、転写サーモグラフィ法を用いてグラフィック情報を確実にかつピクセル毎に与えることができ、熱転写法及び熱昇華法に等しく適するという事実である。転写サーモグラフィを実施するには従来機器を用いることができ、携帯型データ記憶媒体に適用するための特別な適合化は必要ではない。本発明の受像層には、熱転写法を用いた場合に、色テープが受像層に貼り付かないという利点がある。したがって、色テープから受像層上への望ましくない色転写をおこす、付着効果は生じない。よって、例えば針を用いる、ピクセル毎色転写を熱転写法でも行うことができる。熱昇華及び熱転写のいずれを使用する場合にも、明瞭で、制御された色転写がおこる。本発明の受像層の別の利点は、グラフィック情報の上に、グラフィック情報を保護するために、施されるカバー層も受像層に良く密着することである。キャリア層及びアクセプタ層を有する多層ラミネート構造により、本発明の受像層はデータ記憶媒体の作成に一般的なコア層にラミネートすることができる。受像層のラミネート形成特性はキャリア層で決定され、アクセプタ層の特性では決定されない。受像層は実質的に、良好な長期安定性を有する、ＰＥＴＧに基づくから、受像層は十分に再利用することができ、したがって環境に優しい。
【００１０】
本発明の受像層は、純ＰＥＴＧの形態の第１の原材料及び少なくともＰＥＴＧと１０重量％のポリスチレンの混合物の形態の第２の原材料を同時押出しすることによって、特に有利な態様で作成することができる。同時押出しで作成されたシートは、いかなる特別な追加処置も施さずにさらに処理することができ、したがって本発明の方法の実施を容易にする。
【００１１】
アクセプタ層に含有されるポリスチレンはスチレンコポリマー群からのスチレンポリマーであると便宜が良い。アクリロニトリルスチレンアクリル酸エステル（ＡＳＡ）が特に好ましい。その使用は、アクセプタ層を比較的薄くしておくことができる、ラミネートとしての受像層の実施によって支援される。よって、まず第一に、ＡＳＡの色特性−ＡＳＡは若干黄色味を帯びた固有色を有する−の望ましくない影響を最小限に抑えることができる。
【００１２】
以下で、図面を参照して本発明の実施形態をより詳細に説明する。
【発明を実施するための最良の形態】
【００１３】
図１は、キャリア層２及びアクセプタ層３を有する２層受像層１を示す。アクセプタ層３の表面４上に、英数字及び／またはいずれかの形状の画像要素の形態のグラフィック情報５が与えられる。グラフィック情報５をもつ表面４の上に、簡明のために図では表面４から隔てられて示されている、カバー層６が配される。底面７側では、それだけが示されている携帯型データ記憶媒体のコア層１０に受像層１が結合される。受像層１，カバー層６及びコア層１０は個々に与えられて、適する結合技法を用いて結合される。一般に層１及び１０は初めに、携帯型記憶媒体の形状寸法に整合するように切断され、次いで１つに合せられる、シートとして提供される。カバー層１６も薄膜として存在することができ、あるいはラッカーの形態で施される。
【００１４】
コア層１０上に受像層１が施されている携帯型データ記憶媒体は一般に、従来の、身元証明情報あるいは発行者または使用者に割り当てられたその他の形象情報または文字情報が配されている、小切手保証カード、キャッシュカード、バンクカード、身分証明書、運転免許証、パスポートのためのデータシート、ＳＩＭカードまたは同等のＩＣカード、スマートカードあるいは小切手保証カードフォーマットまたは別の通常のカードフォーマットのＩＣカードである。携帯型データ記憶媒体は、少なくとも１つの平坦表面及び、例えばブレスレットのような、別途対応機能をもつ、その他の個人化用品も含むと解されるべきである。以下では、クレジットカードフォーマットの身元証明カードの形態の実施形態が携帯型データ記憶媒体の実施形態として用いられる。このタイプの身元証明カード及びそのようなカードの作成は、例えば、ダブリュー・ランクル（W. Rankl）及びダブリュー・エフィング（W. Effing）著，「ＩＣカードハンドブック（Handbuch der Chipkarten）」，（ミュンヘン（Munich）），第４版，Hansa-Verlag，によって十分に知られている。そのようなカードは特に、１層でつくられるように設計できるが、いくつかの部分層のラミネートであることが好ましい、コア層１０を有する。コア層１０は、ポリカーボネートまたはポリエステルに基づくことが好ましく、一般に６００μｍの厚さを有する。
【００１５】
グラフィック情報５は、転写サーモグラフィの方法によって色テープから表面４に転写される、着色ピクセルで形成される。例えば、エイチ・キップファーン（H. Kipphahn）著，「印刷用メディアハンドブック（Handbuch der Printmedien）」，（ハイデルベルグ（Heidelberg）），Springer Verlag，２０００年，第５.６章，に説明されるような、従来の熱転写法または従来の熱昇華法が用いられる。グラフィック情報には、特に、カラー写真を含めることができる。
【００１６】
キャリア層２の基材は非晶質ポリエステルであることが好ましい。可能な一材料は特に、ＰＴＥＧ、すなわち、例えば、上に挙げた特許文献２に説明されるような、変性ポリエチレンテレフタレートである。あるいは、キャリア層２は純ポリエステルまたはその他の変性ポリエステルでつくることができる。別の変形において、キャリア層２はポリカーボネートでつくることもできる。キャリア層２の厚さｈ３は一般に１００μｍである。
【００１７】
アクセプタ層３の原材料もＰＥＴＧであるが、キャリア層２とは異なり、分量が少なくとも１０重量％のスチレンポリマーが加えられる。特に、アクリロニトリルスチレンアクリル酸エステル（ＡＳＡ）群からのスチレンポリマーが適している。アクセプタ層３内のスチレンポリマーの分量は９０％までとすることができる。正確な混合比は用いられるスチレンポリマーの実化学特性に依存し、例えばＡＳＡが用いられる場合は、ＡＳＡに含まれる個々の成分の比に依存する。さらに、正確な混合比は、グラフィック情報５の転写に用いられる転写サーモグラフィ法−熱転写または熱昇華−に依存し、ピクセルの形成に用いられる着色材料に依存する。熱昇華が用いられる場合には、アクセプタ層３内の７０重量％のスチレンポリマー分量がほぼ適当な値であることがわかった。アクセプタ層３の厚さｈ２はキャリア層より薄く、一般に１０μｍである。
【００１８】
シート及びカードの作成中の作業性を向上させるため、ここでは特にアクセプタ層３の貼り付きを避けるため、滑剤または粘着防止剤を特にアクセプタ層３だけでなく、キャリア層２にも、加えることができる。
【００１９】
カバー層６は第一義的にはグラフィック情報５を保護するためにはたらく。カバー層６は透明であり、厚さｈ１は薄く、一般に３〜２５μｍである。カバー層６は、グラフィック情報５が与えられた後に、熱と圧力を同時に印加することによって施される。カバー層６はグラフィック情報５が与えられた後、直ちに、例えば１００〜１９０℃における通常の「箔押」プロセスで施されると便宜が良い。カバー層６の基材としては、「Topcoat」という商品名でデータカード(DATACARD)社から入手できるラッカーのような、ラッカーが挙げられる。例えば２５μｍ厚の薄いＰＥＴフィルムを用いることもできる。
【００２０】
受像層１は単一シートの形態のラミネートとして提供される。このシートは、少なくとも２基の押出機をもつ装置においてキャリア層２のため及びアクセプタ層３のための原材料の溶融ポリマー素材を同時押出しすることによって作成される。キャリア層２のための押出機からの溶融ポリマー素材及びアクセプタ層３のための押出機からの溶融ポリマー素材は単一ノズル内で結合される。あるいは、２つのノズルから出され、その後直ちに合せて圧延される。シートの作成のそれぞれの基本原理は既知であり、例えば、ジェイ・メンドウイック（J. Mendwick）著，「プラスチックシート（Kunststoff-Folien）」，（ミュンヘン），Carl Hanser Verlag，１９９４年，特に、第３.２.２章及び第３.２.８章に説明されている。さらに、２つのノズルによる押出し及びその後の圧延の原理は上に挙げた特許文献２にも説明されている。
【００２１】
提案した受像層１を用いて、身元証明カードを以下のようにして作成することができる。一般にいくつかの個別層をラミネートすることによって作成された、コア層１０が提供される。さらに、キャリア層２及びアクセプタ層３を同時押出しすることによって受像層１が作成されて、提供される。続いて、受像層１とコア層１０が別のラミネート形成工程によって相互に結合され、結合はアクセプタ層３とコア層１０の間にキャリア層２がおかれるような態様で確立される。ラミネート形成工程は、身元証明カードの作成に通常用いられるラミネート形成パラメータを守って実行される。続いて、そのようにして作成された身元証明カード本体上に、転写サーモグラフィによってグラフィック情報５が与えられる。その後、「箔押」工程においてカバー層６がグラフィック情報５をもつ表面４上に施される。
【００２２】
アクセプタ層がＰＥＴＧとスチレンポリマーとの混合物でつくられる、同時押出しによって作成された、ＰＥＴＧに基づく２層受像層１を用いるという基本概念は維持しながら、本発明は多くの適切な実施形態を可能にする。すなわち、受像層１をコア層１０の両面に配置できることは当然であり、いずれの受像層１にもグラフィック情報５を与えることができる。さらに、キャリア層２及びアクセプタ層３もいくつかの層で形成することができ、そのようないくつかの層は同様に同時押出しされて２層構造にされる。さらに、一層高い硬度または一層強い弾性のような、ある望ましい材料特性を達成するための添加剤を個々の層に加えることができる。
【図面の簡単な説明】
【００２３】
【図１】携帯型データ記憶媒体に適用される受像層の断面を示す
【符号の説明】
【００２４】
１    受像層
２    キャリア層
３    アクセプタ層
４    キャリア層表面
５    グラフィック情報
６    カバー層
７    受像層底面
１０    コア層
【図１】
2008546558.tif 000002
【国際調査報告】
2008546558.tif 000003
2008546558.tif 000004
2008546558.tif 000005
2008546558.tif 000006
2008546558.tif 000007
2008546558.tif 000008